【手続補正書】
【提出日】平成17年11月9日(2005.11.9)
【手続補正１】
【補正対象書類名】明細書
【補正対象項目名】特許請求の範囲
【補正方法】変更
【補正の内容】
【特許請求の範囲】
【請求項１】  原稿を原稿台上に搬送する原稿搬送手段と、
前記原稿搬送手段により前記原稿を前記原稿台上に搬送しながら前記原稿を光学的に走査することで得られた光学像を光電変換して読み取るイメージセンサと、
前記イメージセンサによる副走査方向の読み取り位置を設定する設定手段と、
前記原稿搬送手段により前記原稿を前記原稿台上に搬送しない状態で、前記イメージセンサから出力される異常データを検出する検出手段と、
前記副走査方向における異なる複数の位置で前記検出手段による検出を行い、各位置において検出された前記異常データの主走査方向の最大幅が最小となる位置を前記設定手段が前記読み取り位置として設定するように制御する制御手段と、
を有することを特徴とする画像読み取り装置。
【請求項２】  原稿を原稿台上に搬送する原稿搬送手段と、
前記原稿搬送手段により前記原稿を前記原稿台上に搬送しながら前記原稿を光学的に走査することで得られた光学像を光電変換して読み取るイメージセンサと、
前記イメージセンサにより副走査方向の読み取り位置を設定する設定手段と、
前記原稿搬送手段により前記原稿を前記原稿台上に搬送しない状態で、前記イメージセンサから出力される異常データを検出する検出手段と、
前記副走査方向における異なる複数の位置で前記検出手段により検出を行い、各位置において検出された前記異常データを構成する主走査方向の総画素数が最少となる位置を前記設定手段が前記副走査方向の読み取り位置として設定するように制御する制御手段と、
を有することを特徴とする画像読み取り装置。
【請求項３】  原稿搬送手段により原稿を原稿台上に搬送しながら前記原稿を光学的に走査することで得られた光学像をイメージセンサにより光電変換して読み取らせる場合の前記イメージセンサによる副走査方向の読み取り位置を設定する場合に、前記原稿搬送手段により前記原稿を前記原稿台上に搬送しない状態で、前記副走査方向における異なる複数の位置で前記イメージセンサから出力される異常データを検出し、各位置において検出される前記異常データの主走査方向の最大幅が最小となる位置を前記副走査方向の読み取り位置として設定するように制御することを特徴とする画像読み取り装置の制御方法。
【請求項４】  原稿搬送手段により原稿を原稿台上に搬送しながら前記原稿を光学的に走査することで得られた光学像をイメージセンサにより光電変換して読み取らせる場合の前記イメージセンサによる副走査方向の読み取り位置を設定する場合に、前記原稿搬送手段により前記原稿を前記原稿台上に搬送しない状態で、前記副走査方向における異なる複数の位置で前記イメージセンサから出力される異常データを検出し、各位置において検出された前記異常データを構成する主走査方向の総画素数が最少となる位置を前記副走査方向の読み取り位置として設定するように制御することを特徴とする画像読み取り装置の制御方法。
【手続補正２】
【補正対象書類名】明細書
【補正対象項目名】０００４
【補正方法】変更
【補正の内容】
【０００４】
【発明が解決しようとする課題】
しかしながら、設定された全ての読み取り位置にゴミを検出した時には、読み取り位置を変更しても黒スジは発生してしまうという問題があった。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】変更
【補正の内容】
【０００６】
【課題を解決するための手段】
上記目的を達成するために、請求項１に記載の画像読み取り装置では、原稿を原稿台上に搬送する原稿搬送手段と、前記原稿搬送手段により前記原稿を前記原稿台上に搬送しながら前記原稿を光学的に走査することで得られた光学像を光電変換して読み取るイメージセンサと、前記イメージセンサによる副走査方向の読み取り位置を設定する設定手段と、前記原稿搬送手段により前記原稿を前記原稿台上に搬送しない状態で、前記イメージセンサから出力される異常データを検出する検出手段と、前記副走査方向における異なる複数の位置で前記検出手段による検出を行い、各位置において検出された前記異常データの主走査方向の最大幅が最小となる位置を前記設定手段が前記読み取り位置として設定するように制御する制御手段と、を有することを特徴とする。
請求項２に記載の画像読み取り装置では、原稿を原稿台上に搬送する原稿搬送手段と、前記原稿搬送手段により前記原稿を前記原稿台上に搬送しながら前記原稿を光学的に走査することで得られた光学像を光電変換して読み取るイメージセンサと、前記イメージセンサにより副走査方向の読み取り位置を設定する設定手段と、前記原稿搬送手段により前記原稿を前記原稿台上に搬送しない状態で、前記イメージセンサから出力される異常データを検出する検出手段と、
前記副走査方向における異なる複数の位置で前記検出手段により検出を行い、各位置において検出された前記異常データを構成する主走査方向の総画素数が最少となる位置を前記設定手段が前記副走査方向の読み取り位置として設定するように制御する制御手段と、を有することを特徴とする。
請求項３に記載の画像読み取り装置の制御方法では、原稿搬送手段により原稿を原稿台上に搬送しながら前記原稿を光学的に走査することで得られた光学像をイメージセンサにより光電変換して読み取らせる場合の前記イメージセンサによる副走査方向の読み取り位置を設定する場合に、前記原稿搬送手段により前記原稿を前記原稿台上に搬送しない状態で、前記副走査方向における異なる複数の位置で前記イメージセンサから出力される異常データを検出し、各位置において検出される前記異常データの主走査方向の最大幅が最小となる位置を前記副走査方向の読み取り位置として設定するように制御することを特徴とする。
請求項４に記載の画像読み取り装置の制御方法では、原稿搬送手段により原稿を原稿台上に搬送しながら前記原稿を光学的に走査することで得られた光学像をイメージセンサにより光電変換して読み取らせる場合の前記イメージセンサによる副走査方向の読み取り位置を設定する場合に、前記原稿搬送手段により前記原稿を前記原稿台上に搬送しない状態で、前記副走査方向における異なる複数の位置で前記イメージセンサから出力される異常データを検出し、各位置において検出された前記異常データを構成する主走査方向の総画素数が最少となる位置を前記副走査方向の読み取り位置として設定するように制御することを特徴とする。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】００３２
【補正方法】変更
【補正の内容】
【００３２】
次にステップＳ７０２でごみカウント回路５０８の出力に基づいて、ゴミ有りと判定されなかった場合はそのままゴミ検知処理を終了し、次ＪＯＢも現在の読み取り位置で原稿を読み取る。ゴミ有りと判定された場合には、ステップＳ７０３において、設定されているＹ箇所の読み取り位置のうち全ての読み取り位置でゴミ有りと判定しているかを判断する。ゴミ検知処理を行っていない場所がある場合はステップＳ７０４で、まだゴミ検知処理の行われていない場所へ移動し、ステップＳ７０１のゴミ検知処理を行う。ゴミ検知処理をＹ箇所全てで行っていた場合にはゴミ検知処理を終了する。ここでは、Ｙ＝３とし、それぞれの隣接する読み取り位置間の距離は０．５ｍｍとする。
【手続補正８】
【補正対象書類名】明細書
【補正対象項目名】００３５
【補正方法】削除
【補正の内容】
【手続補正９】
【補正対象書類名】明細書
【補正対象項目名】００４４
【補正方法】削除
【補正の内容】
【手続補正１０】
【補正対象書類名】明細書
【補正対象項目名】００５３
【補正方法】削除
【補正の内容】
【手続補正１１】
【補正対象書類名】明細書
【補正対象項目名】００５８
【補正方法】変更
【補正の内容】
【００５８】
【発明の効果】
以上説明したように、本発明によれば、原稿を搬送しながら読み取る場合に、原稿台上の異物又はキズ等に起因する画像品質の劣化を最小限に抑えることができる。